(57)【要約】【課題】  人の視覚から受ける心理状態の客観的評価を利用し、設計段階でユーザー自身にその心理的効果を体感させて設計者とともに確認するとで、特定のユーザーの希望に沿う建築空間を設計できるようにする。【解決手段】  建築空間の用途情報及びその用途に求められる心理的効果と様々な色彩の画像を見た不特定多数の被験者の脳波から解析した心理情報とを関連付けたデータベース５を用意し、ユーザーＨの用途に求められる心理的効果を奏すると思われる色彩の画像１をユーザーＨに見せ、同画像１を見たユーザーＨの脳波から心理情報を解析し、解析した心理情報と一致又は近似する心理情報を前記データベース５から検索し、検索された心理情報に関連付けられている用途情報がユーザーＨの希望した用途と一致又は類似する場合にユーザーに見せた前記画像１が形成された資材を建築空間の設計に用いるようにした。【選択図】  図１
2008234031.tif 000002
【特許請求の範囲】
【請求項１】
ユーザーの用途に求められる心理的効果を奏する色彩の建築空間を設計する方法であって、建築空間の用途情報及びその用途に求められる心理的効果情報と様々な色彩の画像を見た不特定多数の被験者の脳波から解析した心理情報とを関連付けたデータベースを用意し、ユーザーの用途に求められる心理的効果を奏すると思われる色彩の画像をユーザーに見せ、同画像を見たユーザーの脳波から心理情報を解析し、解析した心理情報と一致又は近似する心理情報を前記データベースから検索し、検索された心理情報に関連付けられている用途情報がユーザーの希望した用途と一致又は類似する場合にユーザーに見せた前記画像が形成された資材を建築空間の設計に用いるようにしたことを特徴とする、建築空間設計方法。
【請求項２】
建築空間の用途情報及びその用途に求められる心理的効果情報と様々な色彩の画像を見た不特定多数の被験者の脳波から解析した心理情報とを関連付けたデータベースと、ユーザーの用途に求められる心理的効果を奏すると思われる色彩からなる複数の画像と、いずれかの画像を見たユーザーの脳波を測定して心理情報を解析する脳波解析手段と、解析した心理情報と一致又は近似する心理情報を前記データベースから検索する検索手段とで構成した、建築空間設計支援装置。
【発明の詳細な説明】
【技術分野】
【０００１】
本発明は、人の視覚から受ける心理状態の客観的評価を利用した建築空間設計方法及びそれに用いる建築空間設計支援装置に関する。
【背景技術】
【０００２】
風景の写真を見ると疲れが癒される効果が認められている。人の脳が刺激に反応し、興奮や不快感の沈静作用があるセロトニンが分泌されるからである。例えば、お気に入りの写真を会社の机に置いておき、疲れた状態で脳波の測定を開始した後に机の写真に目をやると、直後にβ波が弱まる一方α波が強くなり、さらにセロトニンの量が大幅に増加するという結果が出る。写真は現代社会のストレスを緩和させる効果を有している。
【０００３】
人が物を見る構成比としては、視覚が８７％と大部分を占め、他の聴覚・触覚・臭覚・味覚はごく僅かに過ぎず（日本能率協会マネジメントセンター調べ）、人は色によって心理が大きく変化することも証明されている。赤色は発奮させる作用や購買意欲を増加させる作用があり、青色はリラックスさせる作用や集中力を向上させる作用があり、緑色は安らぎを感じさせる作用や目に優しいという作用があり、例えば子供の勉強部屋には集中力を高める青色等の寒色系を用いた資材が適切ということになる。
【０００４】
従来では、建築空間を設計する際、ユーザーの好みに応じて壁紙・床材・建具・造作材等の各種資材の色彩を選定してデザインされており、例えば、前記の心理変化の原理を応用し、用途に求められる心理的効果を奏すると思われる色彩の写真又はイラスト等からなる壁紙・障子紙・襖紙・フィルム等を壁面・建具・窓ガラスに貼着する技術が提供されている（非特許文献１参照）。この技術は、特に宿泊施設・教育施設・店舗等の内外装デザインの提案に利用されている。
【０００５】
ところで、前記技術は予想される心理的効果が数値等で客観的に示されるものではなく、ユーザーの要望を聞いた設計者が一般的な色彩学や過去の経験則、基準等に基づいて様々な色彩の写真又はイラストから選択して提案するものである。しかしながら、視覚から受ける感じ方は人によって若干異なることがあり、一般的な色彩学等に基づいて選択したものがそのユーザーにとって効果を発揮するとは限らなかった。また、設計段階で写真又はイラストから受ける心理的効果を確認する方法もなかった。
【非特許文献１】”ユトリあーと商品ラインナップ”、［online］、有限会社アドバン・テック、［平成１８年１２月２２日検索］、インターネット＜URL:http://www.yutoriart.com/syohin_line/index.html＞
【発明の開示】
【発明が解決しようとする課題】
【０００６】
本発明が解決しようとする課題は、従来のこれらの問題点を解消し、人の視覚から受ける心理状態の客観的評価を利用し、設計段階でユーザー自身にその心理的効果を体感させて設計者とともに確認することで、ユーザーの要望に沿う建築空間を設計できるようにする建築空間設計方法及びそれに用いる建築空間設計支援装置を提供することにある。
【課題を解決するための手段】
【０００７】
かかる課題を解決した本発明の構成は、
１）  ユーザーの用途に求められる心理的効果を奏する色彩の建築空間を設計する方法であって、建築空間の用途情報及びその用途に求められる心理的効果情報と様々な色彩の画像を見た不特定多数の被験者の脳波から解析した心理情報とを関連付けたデータベースを用意し、ユーザーの用途に求められる心理的効果を奏すると思われる色彩の画像をユーザーに見せ、同画像を見たユーザーの脳波から心理情報を解析し、解析した心理情報と一致又は近似する心理情報を前記データベースから検索し、検索された心理情報に関連付けられている用途情報がユーザーの希望した用途と一致又は類似する場合にユーザーに見せた前記画像が形成された資材を建築空間の設計に用いるようにしたことを特徴とする、建築空間設計方法
２）  建築空間の用途情報及びその用途に求められる心理的効果情報と様々な色彩の画像を見た不特定多数の被験者の脳波から解析した心理情報とを関連付けたデータベースと、ユーザーの用途に求められる心理的効果を奏すると思われる色彩からなる複数の画像と、いずれかの画像を見たユーザーの脳波を測定して心理情報を解析する脳波解析手段と、解析した心理情報と一致又は近似する心理情報を前記データベースから検索する検索手段とで構成した、建築空間設計支援装置
にある。
【発明の効果】
【０００８】
本発明によれば、画像を見たユーザーの脳波から心理状態を解析して予めデータベース化しておいた不特定多数の被験者の心理情報と照合し、一致又は近似した心理情報に関連付けられている用途情報を確認し、一致又は近似しない場合はユーザーに見せる画像を異ならせて一致又は近似するまで心理情報の解析と照合を繰り返す。このように、設計段階でユーザー自身にその心理的効果を体感させて設計者とともに確認するようにしたから、そのユーザーの要望に沿う建築空間を設計できる。
【発明を実施するための最良の形態】
【０００９】
本発明の画像は、写真・イラスト・絵画・書道・壁紙・布・単色の色紙等あるいはそれらを組み合わせたものを製作してパーティションに付設、又はそれらをスクリーンや大画面のディスプレイ装置等に表示したものが用いられ、スクリーンやディスプレイ装置等に表示するものは明度や彩度等を自在に調整したりアクセント等を重ね合わせ処理できる。パーティションやスクリーンは平面的なものやユーザーの正面及び左右を囲むような立体的なものでもよい。以下、本発明の実施例を図面に基づいて具体的に説明する。
【実施例１】
【００１０】
図１は実施例の建築空間設計支援装置の説明図、図２は実施例の建築空間設計のフローチャート、図３，４は実施例の脳波解析プログラムの出力結果を示す説明図である。図中、１は画像、２は脳波測定装置、２ａはセンサーバンド、２ｂは光ケーブル、２ｃは光アダプタ、２ｄはＲＳ−２３２Ｃケーブル、３はコンピュータ、４は脳波解析プログラム（脳波解析手段）、４ａは平均値、４ｂは分布率、４ｃは標準偏差、４ｄは優勢率、４ｅはスレッショルド時間、４ｆは平均値グラフ、４ｇは優勢率グラフ、４ｈは意識状態、４ｉは得点、４ｊは優勢意識状態、４ｋはグラフ、４ｍは表情、５はデータベース、６は検索プログラム（検索手段）、Ｈはユーザーである。
【００１１】
本実施例の画像１として風景の写真を用いている。風景としては、海・川・滝・森・草原・湿原・山・桜・紅葉・夜景等があり、例えば海は青色系でリラックス効果・集中力向上・沈静効果を奏し、森や草原は緑色系でヒーリング効果・安心感・目に優しいという効果を奏し、桜は桃色系で至福感・筋肉を緩めるという効果を奏し、夜景は黒色系で高級感・重厚感・沈静効果を奏する。
【００１２】
脳波測定装置２は、ユーザーＨの前額部に装着したセンサーバンド２ａで心理状態を反映する５つの脳波（β・α１・α２・α３・θ）をリアルタイムに測定するもので、α波測定器ＦＭ−５１５Ａ（製品名：株式会社森林倶楽部製）を用いている。コンピュータ３は一般的なパーソナルコンピュータが用いられ、脳波測定装置２とは光ケーブル２ｂ・光アダプタ２ｃ・ＲＳ−２３２Ｃケーブル２ｄを介して接続している。脳波解析プログラム４はコンピュータ３にインストールされ、脳波測定装置２で測定した脳波を解析して周波数ごとの電圧値と心理状態を示すコメント文を表示するもので、α波解析プログラムＢＦＴ−１ＷｉｎパルラックスII（製品名：フューテックエレクトロニクス株式会社製）を用いている。
【００１３】
さらにコンピュータ３には、建築空間の用途情報及びその用途に求められる心理的効果情報と様々な色彩の画像を見た不特定多数の被験者の脳波から解析した心理情報とを関連付けたデータベース５と、脳波解析プログラム４が解析した心理情報と一致又は近似する心理情報をデータベース５から検索して関連付けられている用途情報を表示する検索プログラム６をインストールしている。データベース５の心理情報は、脳波解析プログラム４が表示する数値及びグラフと同じファイル形式で構成されている。
【００１４】
本実施例では、まずユーザーＨから用途又は目的・求める雰囲気・好みの色・その他要望等の建築空間に対する具体的な要望をヒアリングする。このヒアリングで、設計者は用途に求められる心理的効果を奏すると思われる色彩で表現した写真を従来の色彩学や過去の経験則、基準等に基づいて選択し、その画像１を部屋の壁面に相当する寸法に出力してパーティションに付設する。
【００１５】
次に、ユーザーＨをその画像１の正面に座って見てもらい、ユーザーＨの前額部にセンサーバンド２ａを装着して脳波を測定する。測定開始直後はユーザーＨが感じる刺激等により脳波が安定しないから、３秒ほど経過した脳波情報を測定する。脳波測定装置２で測定された脳波情報は脳波解析プログラム４で解析され、その周波数ごとの電圧値を示す数値とグラフ及び心理状態を示すコメント文がコンピュータ３のディスプレイ装置に表示される（図３，４参照）。
【００１６】
図３において、平均値４ａは脳波の平均値を示す。分布率４ｂは５脳波のレベルの合計を１００とした脳波レベルの割合を示す。標準偏差４ｃは脳波レベルのばらつきを示す（値が小さいほどばらつきが小さい）。優勢率４ｄは単位時間当たり最もレベルが高い脳波の割合を示す。スレッショルド時間４ｅはスレッショルドを超えた割合を示す。図４において、意識状態４ｈは各脳波の解析結果を４つの意識状態に大別したものを示す。得点４ｉは意識状態を数値化したものを示す。優勢意識状態４ｊは意識状態をコメント化したものを示す。表情４ｍは優勢意識状態４ｊを人の表情に置き換えて分かり易く表したものを示す。心理情報は図３に示す情報である。
【００１７】
次に、解析した心理情報と一致又は近似する心理情報を検索プログラム６がデータベース５から検索し、検索された心理情報に関連付けられている用途情報がコンピュータ３のディスプレイ装置に表示される。設計者及びユーザーＨはその表示された用途情報がユーザーＨが設計依頼した建築空間の用途と一致又は近似するか確認する。
【００１８】
一致又は近似しない場合は、画像１を異ならせるか又はその画像１の明度や彩度を調整したりアクセントを加えて一致又は近似するまで心理情報の解析と照合を繰り返す。一致又は近似する場合は、ユーザーＨが見た画像１が形成された壁紙・障子紙・襖紙・フィルム等を製作し、壁面・建具・窓ガラスに貼着して施工する。このように、人の視覚から受ける心理状態の客観的評価を利用し、設計段階でユーザーＨ自身にその心理的効果を体感させて設計者とともに確認するようにしたから、ユーザーＨの要望に沿う建築空間を設計できる。
【産業上の利用可能性】
【００１９】
本発明の建築空間設計方法及びそれに用いる建築空間設計支援装置は、宿泊施設・教育施設・店舗・オフィス等の内外装デザインの提案に利用される。
【図面の簡単な説明】
【００２０】
【図１】実施例の建築空間設計支援装置の説明図である。
【図２】実施例の建築空間設計のフローチャートである。
【図３】実施例の脳波解析プログラムの出力結果を示す説明図である。
【図４】実施例の脳波解析プログラムの出力結果を示す説明図である。
【符号の説明】
【００２１】
１  画像
２  脳波測定装置
２ａ  センサーバンド
２ｂ  光ケーブル
２ｃ  光アダプタ
２ｄ  ＲＳ−２３２Ｃケーブル
３  コンピュータ
４  脳波解析プログラム（脳波解析手段）
４ａ  平均値
４ｂ  分布率
４ｃ  標準偏差
４ｄ  優勢率
４ｅ  スレッショルド時間
４ｆ  平均値グラフ
４ｇ  優勢率グラフ
４ｈ  意識状態
４ｉ  得点
４ｊ  優勢意識状態
４ｋ  グラフ
４ｍ  表情
５  データベース
６  検索プログラム（検索手段）
Ｈ  ユーザー
【図１】
2008234031.tif 000003
【図２】
2008234031.tif 000004
【図３】
2008234031.tif 000005
【図４】
2008234031.tif 000006